(57)【要約】【課題】  本発明は訪問者通知方法及びシステムに関し、被訪問者が不在時に操作性の優れた訪問者通知方法及びシステムを提供することを目的としている。【解決手段】  マイクとスピーカとＩＣカードリーダとを備えた受付インターホン１０と、訪問予定者情報を記憶すると共に、受付インターホン１０と接続され、所定の条件の下に訪問者と被訪問者の携帯端末３１とを接続する、入力装置２１と通信装置２２とを備えたコンピュータ２０とを具備し、前記コンピュータ２０は、訪問者が入力したＩＣカード情報又は住基カード情報とコンピュータ２０内に予め記憶している訪問者情報とが一致した時には、前記受付インターホン１０と前記携帯端末３１とを接続するように構成する。【選択図】    図１
2006074309.tif 000002
【特許請求の範囲】
【請求項１】
訪問予定者情報を予め登録しておき（ステップ１）、
インターホンが押されたことを感知し（ステップ２）、
ＩＣカード情報又は住基カード情報を読み込ませるアナウンスを出力し（ステップ３）、
ＩＣカード情報又は住基カード情報を読み込み（ステップ３）、
訪問予定者情報とＩＣカード情報又は住基カード情報とを比較し（ステップ４）、
双方の情報が一致した時には被訪問者の携帯端末とインターホンとを接続させる（ステップ５）、
ことを特徴とする訪問者通知方法。
【請求項２】
前記ステップ５において、訪問予定時間帯も比較の対象とすることを特徴とする請求項１記載の訪問者通知方法。
【請求項３】
前記ステップ６において、比較データの一部分が一致すると携帯端末とインターホンとを接続させることを特徴とする請求項１記載の訪問者通知方法。
【請求項４】
前記ステップ１において、出先からも訪問予定者情報を入力できるようにしたことを特徴とする請求項１記載の訪問者通知方法。
【請求項５】
マイクとスピーカとＩＣカードリーダとを備えた受付インターホンと、
訪問予定者情報を記憶すると共に、受付インターホンと接続され、所定の条件の下に訪問者と被訪問者の携帯端末とを接続する、入力装置と通信装置とを備えたコンピュータと、
を具備し、前記コンピュータは、訪問者が入力したＩＣカード情報又は住基カード情報とコンピュータ内に予め記憶している訪問者情報とが一致した時には、前記受付インターホンと前記携帯端末とを接続することを特徴とする訪問者通知システム。
【請求項６】
前記受付インターホンに更にカメラを設け、前記コンピュータに接続された通話部と訪問者の顔を見ながら通話できるようにしたことを特徴とする請求項５記載の訪問者通知システム。
【請求項７】
前記コンピュータでの情報比較において、比較情報の一部分が一致すると、前記コンピュータは訪問者と前記携帯端末とを接続することを特徴とする請求項５記載の訪問者通知システム。
【発明の詳細な説明】
【技術分野】
【０００１】
本発明は訪問者通知方法及びシステムに関する。
【背景技術】
【０００２】
普通の家庭に設置されているインターホンは、例えば門扉内に設けられたインターホン端末と屋内に設置されたインターホン本体とで通話ができるようになっている。しかしながら、従来のインターホンでは、当該家（被訪問者）が留守であった場合には、訪問者は訪問の要件を伝えることができず、再度訪問しなければならない。このような不具合を解消するために、訪問者と当該被訪問者とを何らかの形で通話できるようにしたシステムが開発されてきている。
【０００３】
この種のシステムとして、例えば訪問予定者の氏名、訪問予定日時、被訪問者の名前、被訪問者への連絡先等を予めシステムに入力しておき、訪問者が被訪問者の所属組織や氏名を完全に記憶していなくても、被訪問者とコンタクトできるシステムが知られている（例えば特許文献１参照）。また、訪問受付装置を設け、該訪問受付装置に訪問者が各種の情報を入力し、予めシステムに記憶されている情報と入力された情報との比較を行ない訪問先に通知するシステムが知られている（例えば特許文献２参照）。また、訪問者に関する各種の個人情報を獲得して保存するようにしたシステムが知られている（例えば特許文献３参照）。
【０００４】
また、ファクスの子機機能を利用して、外出中にドアフォンが鳴ると、ファクスの親機が予め登録した携帯端末に電話をかけて知らせるようにしたものが市販されている。
【特許文献１】特開２００２−１１７１７２号公報（第４頁、第５頁、第６頁、図１）
【特許文献２】特開２００１−２０２０９０号公報（第２頁、第３頁、第４頁、図１）
【特許文献３】特開２００２−３４２８０４号公報（第５頁、第６頁、図２）
【発明の開示】
【発明が解決しようとする課題】
【０００５】
前述した従来のシステムは、ＩＣカード等でデータを入力する方式ではないため、訪問者情報を入力するのに時間がかかるという問題があった。また、訪問者が希望すると、被訪問者の携帯端末に強制的に接続されてしまうという問題があった。また、急遽留守にするが、訪問者と連絡したいという要求や、特定の訪問予定者とだけ連絡したいという要求がある。
【０００６】
本発明は被訪問者が不在時に、集中性と操作性の優れた訪問者通知方法及びシステムを提供することを目的としている。
【課題を解決するための手段】
【０００７】
（１）請求項１記載の発明は、訪問予定者情報を予め登録しておき（ステップ１）、インターホンが押されたことを感知し（ステップ２）、ＩＣカード情報又は住基カード情報を読み込ませるアナウンスを出力し（ステップ３）、ＩＣカード情報又は住基カード情報を読み込み（ステップ３）、訪問予定者情報とＩＣカード情報又は住基カード情報とを比較し（ステップ４）、双方の情報が一致した時には被訪問者の携帯端末とインターホンとを接続させる（ステップ５）ことを特徴とする。
【０００８】
（２）請求項２記載の発明は、前記ステップ５において、訪問予定時間帯も比較の対象とすることを特徴とする。
（３）請求項３記載の発明は、前記ステップ６において、比較データの一部分が一致すると携帯端末とインターホンとを接続させることを特徴とする。
【０００９】
（４）請求項４記載の発明は、前記ステップ１において、出先からも訪問予定者情報を入力できるようにしたことを特徴とする。
（５）請求項５記載の発明は、マイクとスピーカとＩＣカードリーダとを備えた受付インターホンと、訪問予定者情報を記憶すると共に、受付インターホンと接続され、所定の条件の下に訪問者と被訪問者の携帯端末とを接続する、入力装置と通信装置とを備えたコンピュータとを具備し、前記コンピュータは、訪問者が入力したＩＣカード情報又は住基カード情報とコンピュータ内に予め記憶している訪問者情報とが一致した時には、前記インターホンと前記携帯端末とを接続することを特徴とする。
【００１０】
（６）請求項６記載の発明は、前記受付インターホンに更にカメラを設け、前記コンピュータに接続された通話部と訪問者の顔を見ながら通話できるようにしたことを特徴とする。
【００１１】
（７）請求項７記載の発明は、前記コンピュータでの情報比較において、比較情報の一部分が一致すると、前記コンピュータは訪問者と前記携帯端末とを接続することを特徴とする。
【発明の効果】
【００１２】
（１）請求項１記載の発明によれば、訪問予定者のＩＣカード情報と、予め登録されている訪問予定者情報とが一致した時に、必要訪問者のみインターホンと被訪問者の携帯端末とを接続するようにしているので、有意義な接続に限定することで集中性を向上させることができる。
【００１３】
（２）請求項２記載の発明によれば、訪問予定者が訪問予定時刻内に訪問した場合に、インターホンと被訪問者の携帯端末とを接続するようにすることができる。
（３）請求項３記載の発明によれば、訪問予定者のＩＣカード情報又は住基カード情報と、予め登録されている訪問予定者情報の一部が一致する場合にも、インターホンと被訪問者の携帯端末とを接続するようにすることができる。
【００１４】
（４）請求項４記載の発明によれば、出先から訪問予定者の来訪を思い出した場合でも、当該訪問予定者情報を入力することができるようになっているので、都合がよい。
（５）請求項５記載の発明によれば、訪問予定者のＩＣカード情報又は住基カード情報と、予め登録されている訪問予定者情報とが一致した時に、必要訪問者のみインターホンと被訪問者の携帯端末とを接続するようにしているので、集中性を向上させることができる。
【００１５】
（６）請求項６記載の発明によれば、前記受付インターホンに更にカメラを設けることにより、訪問者が誰であるかを認識することができ、訪問者の顔を見ながら通話することができる。
【００１６】
（７）請求項７記載の発明によれば、訪問予定者のＩＣカード情報と、予め登録されている訪問予定者情報の一部が一致する場合にも、インターホンと被訪問者の携帯端末とを接続するようにすることができる。
【発明を実施するための最良の形態】
【００１７】
以下、図面を参照して本発明の実施の形態例を詳細に説明する。図１は本発明の一実施の形態例を示す構成図である。図において、１０は受付インターホンである。該受付インターホン１０において、１１は音声入力用のマイク、１２は音声出力用のスピーカ、１３はＩＣカードの情報を読み取るＩＣカードリーダである。１は訪問者、２は該訪問者１が保持しているＩＣカードである。該ＩＣカード２には、訪問者１の氏名、勤務会社名等の情報が記憶されている。
【００１８】
２０は受付インターホン１０と接続されるコンピュータであり、該コンピュータ２０としては例えばパソコン（ＰＣ）が用いられる。２１はパソコン２０と接続される入力装置、２２は同じくパソコン２０と接続される通信装置である。２３は受付インターホン１０を介して訪問者１との通話を行なう通話部である。２４は各種情報を表示する表示部である。３０は通信装置２２と接続されるネットワーク、３１は該ネットワーク３０と接続される被訪問者の携帯端末である。３２は該携帯端末３１に設けられた携帯端末表示部である。２５はパソコン２０内に設けられた、訪問者に関する情報を記憶しておく訪問者情報テーブルである。このように構成されたシステムの動作を説明すれば、以下の通りである。
【００１９】
図２は本発明の動作の一例を示すフローチャートである。先ず、被訪問者が自宅にいるか出先かについて場合を分けて説明する（Ｓ１）。被訪問者が自宅にいる場合には、入力装置２１から訪問予定者情報を訪問者情報テーブル２５に予め入力しておく（Ｓ２）。被訪問者が出先である場合に急に訪問予定者がいることを思い出した場合に、急遽携帯端末３１から訪問予定者情報を訪問者情報テーブル２５に入力する（Ｓ３）。このようにすれば、出先から訪問予定者の来訪を思い出した場合でも、当該訪問予定者情報を入力できるようになっているので、都合がよい。図３は訪問者情報テーブル２５の構成例を示す図である。図において、２５ａは訪問予定者テーブル、２５ｂは携帯電話番号設定テーブルである。
【００２０】
２ａは訪問予定者テーブル２５ａと比較されるＩＣカード情報、３ａは同じく訪問予定者テーブル２５ａと比較される住基カード情報である。訪問予定者テーブル２５ａのＡは富士通の今村和夫さんであり、訪問予定時刻は０４年８月１日１０時〜１５時である。Ｂは日本電気の中村陽子さんであり、訪問予定時刻は０４年８月１日１３時〜１６時である。Ｃは横浜市の山田芳美さんであり、訪問予定時刻は０４年８月１日の１４時〜１７時である。携帯電話番号設定テーブル２５ｂは訪問予定者テーブル２５ａの訪問予定者毎にその接続先の携帯電話番号を記憶している。
【００２１】
例えば、訪問予定者がＡの今村和夫さんであった場合には、接続先の携帯電話番号は０９０−２２２−５５５５である。訪問予定者がＢの中村陽子さんであった場合には、接続先の携帯電話番号は０９０−３３３−６６６６である。以下、同様である。ＩＣカード情報２ａは、氏名と会社名と従業員ＮＯ．等から構成される。住基カード情報３ａは、住民票コードと、氏名と、住所と、性別と、生年月日等から構成される。このようにして、訪問者情報テーブル２５には、予め図３に示すような訪問予定者テーブル２５ａと携帯電話番号設定テーブル２５ｂが記憶されている。
【００２２】
再び図２の説明に戻る。上述したように、訪問者情報テーブル２５に予め訪問予定者の情報が設定された状態で、パソコン２０は受付インターホン１０が押下されたかどうかチェックする（Ｓ４）。インターホン１０が押下されたことを検知すると、パソコン２０はスピーカ１２を駆動して「ＩＣカードを読ませて下さい」と出力させる（Ｓ５）。これに対して、訪問者１はＩＣカード２をＩＣカードリーダ１３に挿入してＩＣカード情報を読み込ませる（Ｓ６）。読み込まれた訪問者情報は、パソコン２５に対応データ２６として記憶される。
【００２３】
次に、パソコン２５はＩＣカードリーダ１３から読み込んだ対応データ２６と、訪問者情報テーブル２５に予め記憶されているデータとを部分一致で比較する（Ｓ７）。そして、一致したかどうかチェックする（Ｓ８）。不一致の場合には、パソコン２０はスピーカ１２を起動して「ただ今留守です」と出力させる（Ｓ１０）。この結果、予め予定されていない訪問者からの訪問を拒否することができる。
【００２４】
一致した場合には、パソコン２０は当該訪問者の訪問時間が予め設定されていた予定時間帯にあるかどうかをチェックする（Ｓ９）。予定時間帯でない場合には、「ただ今留守です」と出力させる（Ｓ１０）。予定時間帯であった場合には、コンピュータは、訪問予定者テーブルの該当する訪問者の氏名とそれら対応する接続先の携帯番号の携帯端末３１に接続させる（Ｓ１１）。このように、本発明によれば、訪問予定者のＩＣカード情報と、予め登録されている訪問予定者情報とが一致した時に、受付インターホン１０と被訪問者の携帯端末３１とを接続するようにしているので、被訪問者は予め必要とする訪問者とのみ通話することができ、操作性及び集中性を向上させることができる。また、訪問予定者のＩＣカード情報と、予め登録されていなる訪問予定者情報の一部が一致する場合に、受付インターホンと被訪問者の携帯端末３１とを接続するようにすることができる。また、訪問予定者が訪問予定時刻内に訪問した場合に、受付インターホン１０と被訪問者の携帯端末３１とを接続するようにすることができる。
【００２５】
上述の実施の形態例では、受付インターホンからＩＣカード情報を読み取る場合について説明したが、図３に示すように住基カード情報を読み取るようにすることもできる。住基カード情報とは、個人に割り振られた住民基本台帳の情報をカードに記憶させておくようにしたものである。この住基カード情報も、ＩＣカード情報と同様に、ＩＣカードリーダから読み込むことができるようになっている。
【００２６】
本発明では、訪問者の情報と予め訪問者情報テーブル２５に記憶されている訪問者情報とが部分一致する場合にも受付インターホンと被訪問者の携帯端末３１とを接続するようにすることができる。図４は部分一致法の説明図である。この実施の形態例では、訪問予定者情報を入力する際、単語（氏名や会社名や住所名）の登録に同義語を登録できるようにしたものである。また、単語の間の演算（ＡＮＤ，ＯＲ等）をできるようにしたものである。
【００２７】
訪問予定者情報２５ｃにおいて、
Ａは条件が（「富士通」ＯＲ「ＦＪ」ＡＮＤ（「今村和夫」ＯＲ「今村」）
である。この条件は、（富士通又はＦＪの今村和夫又は今村）と置き換えることができる。
Ｄは条件が（「横浜市」ＯＲ「横浜」）ＡＮＤ（「山田芳美」ＯＲ「山田」）
である。この条件は、（横浜市又は横浜の山田芳美又は山田）と置き換えることができる。以下、Ｂ，Ｃの条件についても同様である。
【００２８】
この訪問予定者情報２５ｃと、例えば住基カード情報から読み込んだ情報３ａとを比較する。そして、Ｄの場合、例えば住基カード情報の読み込んだ条件が「横浜市の山田」で合った場合には、２５ｃに示す論理条件の一部と一致するからパソコン２０は一致するとと見なす。このようにすれば、訪問予定者がおぼろげに分かっている時でも、訪問予定者と予め記憶されている情報と比較することができ、受付インターホン１０と被訪問者の携帯端末３１とを接続することができる。
【００２９】
図５は本発明の他の実施の形態例を示す構成図である。この実施の形態例は、受付インターホン１０に訪問者１を写すためのカメラ１５を設けたものである。該カメラ１５はパソコン２０と接続されている。この結果、カメラ１５で写した訪問者１の画像を表示部２４に表示させることができる。従って、在宅者は、訪問者が誰であるのかを認識することができ、訪問者の顔を見ながら通話部２３で通話することができる。
【００３０】
更に、カメラ情報をネットワーク３０を介して携帯端末３１へ送り、携帯端末３１の表示部３２に画像を表示させることもできる。
上記実施の形態例では、訪問者が持っている情報記憶媒体として、ＩＣカードと住基カードとを用いた場合を例にとったが、本発明はこれに限らず、訪問者のＩＤを特定することができるものであれば、どのような情報記憶媒体であってもよい。
【００３１】
以上、説明したように、本発明によれば、以下のことが期待できる。
１．被訪問者不在時に、身分の証明された訪問者と連絡できるので、間違いなく用件をすませることができる。
２．被訪問者不在時に、期待していない人からの連絡を防止することで、煩わしさを軽減することができる。
３．被訪問者が不在時に、出先から設定することができるで、急いで出かけて訪問者の情報を設定するのができなかった場合でも、出先から訪問者情報を入力することで間に合うようにすることができる。
【図面の簡単な説明】
【００３２】
【図１】本発明の一実施の形態例を示す構成図である。
【図２】本発明の動作の一例を示すフローチャートである。
【図３】訪問者情報テーブルの構成例を示す図である。
【図４】部分一致法の説明図である。
【図５】本発明の他の実施の形態例を示す構成図である。
【符号の説明】
【００３３】
１    訪問者
２    ＩＣカード
１０  受付インターホン
１１  マイク
１２  スピーカ
１３  ＩＣカードリーダ
２０  コンピュータ
２１  入力装置
２２  通信装置
２３  通話部
２４  表示部
３０  ネットワーク
３１  携帯端末
３２  携帯端末表示部
【図１】
2006074309.tif 000003
【図２】
2006074309.tif 000004
【図３】
2006074309.tif 000005
【図４】
2006074309.tif 000006
【図５】
2006074309.tif 000007